(57)【要約】【課題】  複数のｃｈで音響信号を処理する装置において、それら複数のｃｈの音響信号のレベルを表示するメータと該メータでレベル表示する対象のｃｈとの対応関係が一目で分かるような音響処理装置およびプログラムを提供することを目的とする。【解決手段】  複数の音響信号処理チャンネルを備えた音響処理装置であって、前記複数の音響信号処理チャンネルの音響信号のレベルをそれぞれ取得する手段と、取得した複数の音響信号処理チャンネルの音響信号のレベルを表現する複数のメータを並べて表示する手段と、前記複数のメータのそれぞれの表示に重ねて、そのメータに対応する音響信号処理チャンネルに関する情報を表示する手段とを備えるようにする。これによりレベル表示を行うメータとそれに対応するｃｈとの対応関係が容易に把握できるようになる。【選択図】  図４
2015173364.tif 000002
【特許請求の範囲】
【請求項１】
複数の音響信号処理チャンネルを備えた音響処理装置であって、
前記複数の音響信号処理チャンネルの音響信号のレベルをそれぞれ取得する手段と、
取得した複数の音響信号処理チャンネルの音響信号のレベルを表現する複数のメータを並べて表示する手段と、
前記複数のメータのそれぞれの表示に重ねて、そのメータに対応する音響信号処理チャンネルに関する情報を表示する手段と
を備えることを特徴とする音響処理装置。
【請求項２】
請求項１に記載の音響処理装置であって、
前記音響信号処理チャンネルに関する情報が、ユーザにより設定されたその音響信号処理チャンネルのチャンネル名であることを特徴とする音響処理装置。
【請求項３】
複数の音響信号処理チャンネルを備えた音響処理装置であって、
前記複数の音響信号処理チャンネルの音響信号のレベルをそれぞれ取得する手段と、
前記複数の音響信号処理チャンネルから選択された音響信号処理チャンネルをそれぞれ割り当てる複数のチャンネル・ストリップであって、１つのチャンネル・ストリップは、割り当てられた音響信号処理チャンネルの制御を行うための操作子と該割り当てられた音響信号処理チャンネルのチャンネル名を表示する領域を備えるものと、
前記チャンネル・ストリップのチャンネル名を表示する領域に、チャンネル名の表示に重ねて、当該音響信号処理チャンネルの音響信号のレベルを表現するメータを表示する手段と
を備えることを特徴とする音響処理装置。
【請求項４】
請求項１から３の何れか１つに記載の音響処理装置において、
前記メータで表示する音響信号のレベルは、音響信号処理チャンネルごとに選択されたメータリングポイントから取り出した音響信号のレベルであることを特徴とする音響処理装置。
【請求項５】
複数の音響信号処理チャンネルを備えた音響処理装置を実現するプログラムであって、
コンピュータを、
前記複数の音響信号処理チャンネルの音響信号のレベルをそれぞれ取得する手段と、
取得した複数の音響信号処理チャンネルの音響信号のレベルを表現する複数のメータを並べて表示する手段と、
前記複数のメータのそれぞれの表示に重ねて、そのメータに対応する音響信号処理チャンネルに関する情報を表示する手段と
を備える音響処理装置として機能させるためのプログラム。
【発明の詳細な説明】
【技術分野】
【０００１】
この発明は、音響信号を処理する装置に適用するメータ表示の技術に関する。
【背景技術】
【０００２】
従来より、入力した音響信号に対してミキシング等の種々の処理を施して出力するデジタルミキサが知られている。従来のデジタルミキサでは、複数チャンネル（ｃｈ）のメータ表示機能を備えるものがある（例えば、非特許文献１の第１５章の「メーター」）。また、従来のデジタルミキサでは、各ｃｈにユーザが任意にｃｈ名（例えば、ＶｏｃａｌやＧｕｉｔａｒなど）を付け、操作パネル上のフェーダなどの操作子には近傍に小ディスプレイ領域を設け、その操作子に割り当てたｃｈのｃｈ名を小ディスプレイ領域に表示して、この操作子はＶｏｃａｌ音を制御する操作子、この操作子はＧｕｉｔａｒ音を制御する操作子、というような割り当てが分かるように操作子の近傍に割り当てたｃｈのｃｈ名を表示する機能を備えるものがある（例えば、非特許文献２の第５章「インプット系チャンネルの操作」の「ネームインジケーター」）。
【先行技術文献】
【非特許文献】
【０００３】
【非特許文献１】DIGITAL MIXING CONSOLE M7CL、取扱説明書、２００５年、ヤマハ株式会社
【非特許文献２】DIGITAL MIXING CONSOLE PM5D/PM5D-RH V2、DIGITAL MIXING SYSTEM DSP5D、取扱説明書、２００４年、ヤマハ株式会社
【発明の概要】
【発明が解決しようとする課題】
【０００４】
従来技術では、複数ｃｈについてのメータ画面を表示させることはできたが、そのメータ画面で各ｃｈのメータ近傍に表示されるのはｃｈ番号のみであった。メータ画面では多数のｃｈのメータを表示するので、例えばユーザがメータ画面の複数のメータからレベルに問題があるｃｈを見つけたとしても、そのｃｈがどの音響信号に割り当てたｃｈかはすぐには分からない。ユーザは、そのメータのｃｈ番号を認識し、画面を切り替えてそのｃｈ番号のｃｈにどの音響信号を割り当てたかを確認しなければならないという面倒がある。
【０００５】
非特許文献２の「ネームインジケーター」の機能を使うことで、各操作子に何の音を割り当てたかは分かるようになる。しかし、メータ画面では各メータに対応するｃｈ番号しか分からないので、もしメータを参照してレベル調整すべきｃｈが見つかったとしても、結局、画面を切り替えてｃｈ番号とｃｈ名との対応を確認しなければ、注目したｃｈとそのｃｈに割り当てた音との対応関係は分からない。
【０００６】
本発明は、複数のｃｈで音響信号を処理する装置において、それら複数のｃｈの音響信号のレベルを表示するメータと該メータでレベル表示する対象のｃｈに割り当てた音との対応関係が一目で分かるような音響処理装置およびプログラムを提供することを目的とする。
【課題を解決するための手段】
【０００７】
上記目的を達成するため、請求項１の発明に係る発明は、複数の音響信号処理チャンネルを備えた音響処理装置であって、前記複数の音響信号処理チャンネルの音響信号のレベルをそれぞれ取得する手段と、取得した複数の音響信号処理チャンネルの音響信号のレベルを表現する複数のメータを並べて表示する手段と、前記複数のメータのそれぞれの表示に重ねて、そのメータに対応する音響信号処理チャンネルに関する情報を表示する手段とを備えることを特徴とする。
【０００８】
請求項２に係る発明は、請求項１に記載の音響処理装置において、前記音響信号処理チャンネルに関する情報が、ユーザにより設定されたその音響信号処理チャンネルのチャンネル名であることを特徴とする。
【０００９】
請求項３に係る発明は、複数の音響信号処理チャンネルを備えた音響処理装置であって、前記複数の音響信号処理チャンネルの音響信号のレベルをそれぞれ取得する手段と、前記複数の音響信号処理チャンネルから選択された音響信号処理チャンネルをそれぞれ割り当てる複数のチャンネル・ストリップであって、１つのチャンネル・ストリップは、割り当てられた音響信号処理チャンネルの制御を行うための操作子と該割り当てられた音響信号処理チャンネルのチャンネル名を表示する領域を備えるものと、前記チャンネル・ストリップのチャンネル名を表示する領域に、チャンネル名の表示に重ねて、当該音響信号処理チャンネルの音響信号のレベルを表現するメータを表示する手段とを備えることを特徴とする。
【００１０】
請求項４に係る発明は、請求項１から３の何れか１つに記載の音響処理装置において、前記メータで表示する音響信号のレベルは、音響信号処理チャンネルごとに選択されたメータリングポイントから取り出した音響信号のレベルであることを特徴とする。
【００１１】
請求項５に係る発明は、複数の音響信号処理チャンネルを備えた音響処理装置を実現するプログラムであって、コンピュータを、前記複数の音響信号処理チャンネルの音響信号のレベルをそれぞれ取得する手段と、取得した複数の音響信号処理チャンネルの音響信号のレベルを表現する複数のメータを並べて表示する手段と、前記複数のメータのそれぞれの表示に重ねて、そのメータに対応する音響信号処理チャンネルに関する情報を表示する手段とを備える音響処理装置として機能させるためのプログラムである。
【発明の効果】
【００１２】
本発明によれば、音響信号を処理する装置において、複数のｃｈの音響信号のレベルを表示するメータ画面の各メータ表示中に、それぞれのメータに対応するｃｈに関する情報を表示するので、画面を切り替えるなどの手間をかけることなく、メータ表示とそのメータでレベルを表示しているｃｈとの対応関係を確認することができる。ｃｈ名の表示領域にメータ表示を重ねて表示する場合も同様の効果がある。また、メータ表示するレベルは、ユーザが適宜選択したメータリングポイントから取り出した音響信号のレベルにできるので、ユーザが任意に選択した位置のレベルとｃｈに関する情報とを対応させて把握できる。
【図面の簡単な説明】
【００１３】
【図１】この発明の実施形態であるデジタルミキサのハードウェア構成図
【図２】実施形態のミキサの操作パネル外観図およびｃｈストリップの構成図
【図３】ミキシング処理の機能構成例および入力ｃｈの機能構成例を示す図
【図４】メータ画面例および変形例を示す図
【図５】メータ設定テーブルを示す図
【図６】メータ画面表示処理を示すフローチャート
【発明を実施するための形態】
【００１４】
以下、図面を用いて本発明の実施の形態を説明する。
【００１５】
図１は、この発明の一実施形態であるデジタルミキサ１００のハードウェア構成の一例を示すブロック図である。ＣＰＵ１０１は、このミキサ全体の動作を制御する処理装置である。メモリ１０２は、ＣＰＵ１０１が実行する各種のプログラムや各種のデータなどを格納した記憶装置であり、ＲＡＭ、ＲＯＭ、フラッシュメモリ、ハードディスクなどの記憶手段を適宜組み合わせて構成したものである。表示器１０３は、このミキサの操作パネル上に設けられた各種の情報を表示するためのディスプレイである。操作子１０４は、このミキサの操作パネル上に設けられたユーザが操作するための各種の操作子（フェーダ、ロータリーエンコーダ、スイッチ、ボタン等）である。信号処理部１０５は、例えばＤＳＰであり、ＣＰＵ１０１の指示に基づいて各種の信号処理プログラムを実行することにより、波形Ｉ／Ｏ１０６経由で入力した音響信号のミキシング処理、効果付与処理、及び音量レベル制御処理などを行い、処理後の音響信号を波形Ｉ／Ｏ１０６経由で出力する。バス１１０は、これら各部を接続するバスラインであり、コントロールバス、データバス、およびアドレスバスを総称したものである。
【００１６】
図２（ａ）は、本実施形態のデジタルミキサの操作パネル２００の外観を示す。２０１は、各種の情報を表示するディスプレイ（図１の表示器１０３）である。ディスプレイ２０１の下側にｃｈストリップ部２０２（図１の操作子１０４）が設けられている。ｃｈストリップ部２０２は例えば８本のｃｈストリップからなる。図２（ｂ）にそのうちの１本のｃｈストリップの構成を示す。１本のｃｈストリップは、ロータリエンコーダや各種のスイッチなどを備え、特に、当該ｃｈストリップに割り当てられたｃｈのレベル制御のためのフェーダ２１１、および、当該ｃｈストリップに割り当てられたｃｈのｃｈ名を表示する小ディスプレイ領域２１２を備える。ユーザは、８本あるｃｈストリップに入力ｃｈや出力ｃｈを適宜割り当て、各ｃｈストリップの操作子で、割り当てたｃｈの制御を行う。なお、ｃｈストリップにはフェーダ２１１や小ディスプレイ領域２１２以外に他の操作子や表示器を適宜配置してよいが、本発明とは関連性が低いので説明は省略する。
【００１７】
図３（ａ）は、本実施形態のミキサにより実現するミキシング処理の機能構成を示すブロック図である。マイクなどの各種の音響信号供給源から入力したアナログ音響信号は不図示の入力ポートにてデジタル音響信号に変換され、ユーザの指定に応じて入力ｃｈ３０１の複数の入力ｃｈの中の何れかに入力される。入力ｃｈ３０１の各入力ｃｈは、入力した音響信号に対してＣＰＵ１０１の指示に基づく振幅特性や周波数特性などの特性調整処理を行う。各入力ｃｈから出力された音響信号は、ＭＩＸ部３０２にてＣＰＵ１０１の指示に応じて混合され、その混合信号は出力ｃｈ３０３の複数の出力ｃｈの中の何れかに出力される。各出力ｃｈから出力された音響信号は、不図示の出力ポートにてアナログ信号に変換され出力される。これらのブロック３０１〜３０３は、ＣＰＵ１０１が設定した信号処理プログラムを実行する信号処理部１０５およびその信号処理部１０５を制御するＣＰＵ１０１により実現される。なお、ここではアナログ音響信号の入出力を例として説明したがデジタル音響信号の入出力でもよい。
【００１８】
図３（ｂ）は、入力ｃｈ３０１の中の１つの入力ｃｈの概略構成を示すブロック図である。アッテネータ（Ａｔｔ）３１１は、入力信号に対して先頭部分でのレベル制御を行うモジュールである。イコライザ（ＥＱ）３１２は周波数特性の調整を行うモジュールである。レベル（Ｌｅｖｅｌ）３１３は、信号の送出レベルを調整するレベル調整部であり、当該ｃｈに割り当てられた操作子であるフェーダの設定位置に応じて、入力した音響信号のレベルを制御するモジュールである。３１４と３１５はメータリングポイントの候補の一例を示す。３１４はプリフェーダの位置、３１５はポストフェーダの位置を示す。なお、ここに示した入力ｃｈの構成は一例であり、他にハイパスフィルタ、ゲート、コンプレッサ、ディレイ、パン、その他の各種の音響信号処理を行うモジュールを備えてよいし、メータリングポイントの候補はプリフェーダの位置やポストフェーダの位置以外にも各モジュール間やｃｈへの入力端、ｃｈからの出力端等に適宜設定してよい。メータリングポイントは、ｃｈごとに複数の候補の中から選択できるようにするとよい。また、必要に応じてメータリングポイントは固定的に１ヵ所のみ（例えばポストフェーダの位置のみ）としてもよい。
【００１９】
図４（ａ）は、本実施形態のミキサにおけるメータ画面例を示す。本実施形態のミキサでは、ＬＣＤ２０１に、複数のｃｈのそれぞれの音響信号レベルをリアルタイムに表示するメータ画面４００を表示できる。メータ画面４００は、複数のメータ表示４０１，４０２，…を有する。１つのメータ表示、例えばメータ表示４０１は、背景が黒色のバー表示であり、下辺４１１からの白色部分４１２の長さで音響信号のレベルを表現する。メータ表示対象の音響信号は、そのメータに割り当てられたｃｈの指定されたメータリングポイントから取得した音響信号である。
【００２０】
特に、本実施形態では、各メータに、そのメータに割り当てられているｃｈのｃｈ名を重ねて表示する。例えば、メータ４０１に割り当てられているｃｈのｃｈ名は「Ｋｉｃｋ」である場合、メータ４０１では信号レベルを示すバー表示に重ねて「Ｋｉｃｋ」と表示している。これにより、ユーザは、メータ画面４００の各メータと音響信号との対応関係を容易に把握できる。なお、本実施形態においては、ｃｈ名の文字をメータの下辺４１１から１文字ずつ順に表示するものとし、レベル表示のための白色で図示した部分および背景の黒色で図示した部分に対して反転表示で文字を表示するものとする。要するに、反転表示とは、レベルを表現する白色部分４１２にかかっている文字部分を黒色の文字で表示し、バー表示の背景の黒色部分にかかっている文字部分を白色の文字で表示するものである。また、メータ４０２あるいは４０４等に示した表示例のように、レベルを表現する白色部分と背景の黒色部分との境界が文字の途中にかかる場合もある。
【００２１】
図５は、メータ設定テーブルの内容例を示す。メータ設定テーブル５００は、メモリ１０２上に設けられる。メータＩＤ５０１は、図４（ａ）のメータ画面４００中の各メータ４０１，４０２，…を特定する識別子である。ここではメータ画面４００の左側のメータ（メータ表示４０１）から順に１，２，…と付けた番号をメータＩＤとする。なお、図４（ａ）の各メータ４０１，４０２，…の下側の番号はメータＩＤの表示であるが、この表示は省略してもよい。対応ｃｈ５０２は、当該メータＩＤのメータでレベルを表示する対象のｃｈを示し、ユーザが任意に設定することができる。このｃｈを示す情報（ｃｈの番号等）５０２を、メータＩＤとともにあるいはこれに替えてメータ画面４００の各メータ表示４０１，４０２，…に対応づけて表示してもよい。メータ領域表示情報５０３は、そのメータに重ねて表示する情報を示し、ここではｃｈ名を表示するため、各ｃｈに設定されているｃｈ名が設定されている。なお、各ｃｈのｃｈ名はユーザが任意に設定でき、図示しないメモリ１０２上の別の管理領域で管理されているものとする。例えば、ユーザが、メータＩＤ＝１のメータの対応ｃｈとしてｃｈ２５を指定したとき、ＣＰＵ１０１が、前記管理領域からｃｈ２５のｃｈ名が「Ｋｉｃｋ」であることを読み取り、メータＩＤ＝１のメータ領域表示情報５０３に設定する。メータリングポイント５０４は、対応ｃｈの音響信号の経路中のメータ表示対象の位置を示す。本実施形態では、ｃｈ毎にプリフェーダまたはポストフェーダの何れかが選択でき、ユーザの指定に応じてそれらの何れかがメータリングポイント５０４に設定される。
【００２２】
図６は、ＣＰＵ１０１が実行するメータ画面表示処理のフローチャートである。本処理は、ユーザによるメータ画面４００の表示の指示操作があったとき実行される。ステップ６０１で、メータ設定テーブル５００からメータＩＤ５０１と対応ｃｈ５０２とメータ領域表示情報５０３とメータリングポイント５０４を読み出す。ステップ６０２で、メータ画面４００を画面に描画する。この処理は、メータ画面４００のウィンドウを描画するとともに、そのウィンドウの中に、各メータＩＤのメータのバー表示領域（図４（ａ）の４０１，４０２…の表示領域）を並べて設定する処理である。
【００２３】
ステップ６０３〜６０７はメータＩＤでループさせるループ処理である。具体的には、メータＩＤ＝１のメータに対してステップ６０４〜６０６を実行し、メータＩＤ＝２のメータに対してステップ６０４〜６０６を実行し、…というようにループする。最後のメータＩＤに至ったら再びメータＩＤ＝１のメータに戻ってループ処理を続ける。このループ処理が終了するのは、メータ画面４００を閉じる指示が為されたときや、図５のメータ設定テーブルの内容に変更があって本メータ画面表示処理が再起動されるときなどである。
【００２４】
ステップ６０３〜６０７のループ処理について説明する。ステップ６０４で、ＣＰＵ１０１は、処理対象のメータＩＤの対応ｃｈ５０２とメータリングポイント５０４に基づき、指定されたｃｈの指定されたメータリングポイントのレベル値を取得する。ＣＰＵ１０１は、各ｃｈのレベル値を信号処理部１０５内（あるいはメモリ１０２上）の所定の記憶領域から読み取る。信号処理部１０５は当該記憶領域にプリフェーダの位置あるいはポストフェーダの位置におけるレベル値を逐次更新しており、ＣＰＵ１０１は処理対象のメータＩＤに対応するｃｈのレベル値を当該記憶領域から読み取るものとする。なお、当該記憶領域に各ｃｈのプリ／ポスト２種類のレベル値が入っていて、メータリングポイント５０４で指定された方の値を読み取るようにしてもよいし、信号処理部１０５がメータリングポイント５０４に設定された方のレベル値を各ｃｈ毎に記憶領域に入れておくようにしてもよい。
【００２５】
次に、ステップ６０５で、ＣＰＵ１０１は、処理対象のメータＩＤに対応するメータ領域表示情報５０３（本実施形態ではｃｈ名でありステップ６０１で読み出してある）を、該メータＩＤのメータのバー表示に重ねて表示するように表示処理プログラムに指示する。実際のメータの表示は、ＣＰＵ１０１（あるいは表示器１０３側のプロセッサ）で繰り返し動作している表示処理プログラムに所定のコマンドと表示データを渡すことで実現するが、本実施形態では、上記メータ領域表示情報（ｃｈ名）は初回の表示の際に上記表示処理プログラムに渡せば、それ以降は、上記表示処理が該メータＩＤのメータ表示の際にそのメータ領域表示情報（ｃｈ名）を示す文字を反転表示でメータ表示に重ねて表示するものとする。ステップ６０５の処理における初回の表示とは、そのメータＩＤでの初回のループ処理で実行される表示のことである。例えば、ＬＣＤ２０１へのメータ画面４００の表示を開始したとき、ユーザ指示によりメータ表示の対象ｃｈが変更されたときやメータ領域表示情報（ｃｈ名）が変更されたとき等、メータのレベル値を示す情報以外が変更される場合に、各メータＩＤの初回のループ処理でステップ６０５が実行される。次に、ステップ６０６で、取得したレベル値に基づいて、処理対象のメータＩＤに対応するバー表示領域のメータ表示を更新（レベルを表現する白色部分の長さの更新）する。
【００２６】
上記実施形態では、図４（ａ）に示すようなメータ画面の各メータにメータ領域表示情報としてｃｈ名を重ねて表示したが、その代わりに、ｃｈストリップ等のメータ領域表示情報の表示領域の側にメータを重ねて表示するようにしてもよい。図４（ｂ）は、そのような変形例を示す。図４（ｂ）の４２１は、図２（ｂ）のｃｈストリップの小ディスプレイ領域２１２への表示の変形例である。図２（ｂ）では領域２１２に当該ｃｈストリップに割り当てられたｃｈのｃｈ名を表示するだけであったが、図４（ｂ）の４２１では、そのｃｈ名の表示に重ねて当該ｃｈの（指定されたメータリングポイントの）レベル値を示すメータを表示している。白色部分４２２が、レベル値に応じてその長さを変えるメータの役割を果たす。
【００２７】
なお、上記実施形態は音響信号を処理する専用の装置としてのデジタルミキサに本発明を適用したものであるが、本発明は、デジタルミキサとタブレット型ＰＣとを接続し、タブレット型ＰＣでリモートコントロール用アプリを動作させてタブレット型ＰＣからデジタルミキサを制御するものに適用することも可能である。この場合、デジタルミキサとタブレット型ＰＣとの接続形態は任意であり、例えばＬＡＮ（ローカルエリアネットワーク）、インターネット、ＵＳＢ（Universal Serial Bus）等の接続形態を含む。上記アプリは、上記タブレット型ＰＣ内のメモリ上にロードされ、上記タブレット型ＰＣ内のＣＰＵにより実行されるものであり、これにより上記タブレット型ＰＣのディスプレイに図４のようなメータ画面が表示される。なお、上記アプリが実行されているタブレット型ＰＣとそれに接続されたデジタルミキサとの機能分担は任意であり、これらが協働することで全体として図６の処理が実行されメータ画面の表示が実現される。図５のメータ設定テーブル５００も、デジタルミキサとタブレット型ＰＣのどちらのメモリ上に展開されていてもよい。また、メータ設定テーブル５００中のメータＩＤ５０１とメータ領域表示情報５０３との対応関係はタブレット型ＰＣで保持し、メータＩＤ５０１と対応ｃｈ５０２とメータリングポイント５０４はデジタルミキサで保持するというように、メータ設定テーブル５００の内容をタブレット型ＰＣとデジタルミキサとで分けて保持するようにしてもよい。
【００２８】
典型的な実現例としては、タブレット型ＰＣ側アプリで、メータ設定テーブル５００の設定情報を入力してデジタルミキサに送信する機能を実現し、デジタルミキサ側のプログラムでは、送信されてきた設定情報に基づいてメモリ上にメータ設定テーブル５００を構成する。そして、デジタルミキサ側のプログラムで、メータ設定テーブル５００に設定したメータＩＤ５０１とメータ領域表示情報５０３をタブレット型ＰＣへ返送する。タブレット型ＰＣ側アプリでは、送られてきたメータＩＤ５０１とメータ領域表示情報５０３をメモリ上に保持しておく。デジタルミキサ側のプログラムで、メータ設定テーブル５００に設定されている各ｃｈのメータリングポイントのレベル値を取得し、メータＩＤとともにそのレベル値をタブレット型ＰＣに送る処理を繰り返し行う。タブレット型ＰＣ側アプリでは、送られてきた情報に基づいてそのメータＩＤのメータの表示を更新するが、その際、既に保持してあるそのメータＩＤに対応するメータ領域表情報（ｃｈ名等）を重ねて表示する。
【００２９】
また、本発明は、汎用のＰＣあるいはタブレット型ＰＣで動作させることにより、デジタルミキサと同様の機能を実現するソフトウェアに適用することも可能である。この場合は、ＰＣのＣＰＵがそのソフトウェアを実行することで、図４のようなメータ画面が表示される。具体的には、そのＰＣのＣＰＵがメモリ上のそのソフトウェアを実行することで、図５のメータ設定テーブル５００の内容が設定され、図６の処理が実行され、これにより図４のようなメータ画面の表示が実現される。
【００３０】
上記実施形態では、メータにメータ領域表示情報としてｃｈ名を重ねて表示したが、当該メータに割り当てられているｃｈに関する（ｃｈ名以外の）種々の情報を表示するようにしてもよい。例えば、当該ｃｈに入力（または出力）するＡＤ（アナログデジタル）変換ボード（またはＤＡ（デジタルアナログ）変換ボード）のポートを特定する情報、それらのボードを挿入したスロットを特定する情報、それらのボードを挿入したユニットを特定する情報などである。また、当該ｃｈの音響信号処理を行う各モジュールにおける各種のパラメータ（例えば当該ｃｈにおけるコンプレッサのスレッショルドの値、ハイパスフィルタの遮断周波数の値、遅延回路の遅延時間など）を表示するようにしてもよい。また、文字列情報に限らず、図形・アイコン・グラフ等の情報を表示してもよい。
【００３１】
上記実施形態では、メータに重ねて表示するのは１つの情報（ｃｈ名）のみであったが、１つの情報だけでなく複数の情報を表示するようにしてもよい。例えば、メータのバー表示が、その中に複数行の文字情報を表示できる程度の太さであれば、複数行に複数の文字情報等を表示することができる。また、メータ領域表示情報を重ねて表示するとは、メータ表示のための領域にメータ領域表示情報を同時に表示する態様を指し、メータの表示とメータ領域表示情報は必ずしも重畳して表示されている必要はない。
【００３２】
上記実施形態では、メータをバー表示としたが、表示態様はこれに限らない。例えば、アナログメータを模した表示でもよい。ただし、狭い表示領域に複数ｃｈのメータを表示するにはバー表示が好ましい。
【００３３】
また、上記実施形態では背景が黒色でレベルを表示する部分が白色のバーである例で説明したが、色はこれに限らない。背景部分とレベル値を表現する部分とが区別できる色使いであればよいし、さらにそれに重ねたｃｈ名の文字列などのメータ領域表示情報がメータ表示と区別できる色使いであればよい。文字等のメータ領域表示情報は、縁の部分のみを、背景やレベル値を表現する部分と異ならせた色としてもよい。色を異ならせる場合、色相、彩度、明度の少なくとも１つを異ならせればよい。要は、メータの表示に重ねて表示した文字が認識できるようにすればよい。
【００３４】
複数ある各ｃｈにユーザが任意に色（チャンネルカラー）を割り当て、例えばｃｈストリップのｃｈ名表示領域（図２（ｂ）の２１２）に、そのｃｈストリップに割り当てたｃｈのチャンネルカラーを表示することで、例えば赤色のチャンネルカラーがｃｈ名表示領域に表示されているｃｈストリップはボーカルのマイクの信号を制御するｃｈストリップであり、青色のチャンネルカラーがｃｈ名表示領域に表示されているｃｈストリップはギターの信号を制御するｃｈストリップである、というようにｃｈストリップと音響信号との対応関係が容易に把握できるようになる。この場合、メータ表示についても、各ｃｈに割り当てられた各メータの表示色をそのｃｈのチャンネルカラーにすれば、メータと音響信号との対応関係が容易に把握できる。
【００３５】
上記実施形態では、メータに重ねて表示するメータ領域表示情報の位置・態様はメータの下端を基点に表示を開始するものと説明したが、これに限らない。上端から表示してもよいし、中途位置に表示する等任意の位置に表示するようにしてよい。要するにメータ表示に重ねて表示されるのであればその表示態様には特段の制限はない。
【符号の説明】
【００３６】
１００…デジタルミキサ、１０１…中央処理装置（ＣＰＵ）、１０２…メモリ、１０３…表示器、１０４…操作子、１０５…信号処理部（ＤＳＰ）、１０６…波形Ｉ／Ｏ。
【図１】
2015173364.tif 000003
【図２】
2015173364.tif 000004
【図３】
2015173364.tif 000005
【図４】
2015173364.tif 000006
【図５】
2015173364.tif 000007
【図６】
2015173364.tif 000008